(57)【要約】【課題】ユーザが行った場所の特徴に従って、名所旧跡のみならず、家族の集合写真や、花鳥風月等、思い出を盛り上げることができ、且つ、撮影すべき写真の種類を決定し、ユーザにアドバイス表示することによって、その場所で楽しんだ風物を記録して、変化にとんだ写真集を作成可能としたカメラ及び撮影システムを提供することである。【解決手段】デジタルカメラ１０に於いて、位置検出部１２にて撮影時の位置に関する位置情報を検出し、前記撮影時の位置情報と撮影を行う時刻とをテーマ抽出部１８にてグループ化し、当該グループ化の結果の情報に基づいて、次に撮影すべき被写体の候補に関する情報を抽出する。そして、テーマ抽出部１８からの出力に基づいて、次に撮影すべき被写体の候補に関する情報を候補表示部２０ａに表示して操作者に告知する。【選択図】      図１
2010045436.tif 000002
【特許請求の範囲】
【請求項１】
撮影時の位置に関する位置情報を検出する位置検出手段と、
前記撮影時の位置情報と撮影を行う時刻とをグループ化し、当該グループ化の結果の情報に基づいて、次に撮影すべき被写体の候補に関する情報を抽出するテーマ抽出手段と、
前記テーマ抽出手段からの出力に基づいて次に撮影すべき被写体の候補に関する情報を操作者に告知する告知手段と、
を具備することを特徴とする撮影システム。
【請求項２】
前記撮影時の時刻情報を検出する時刻検出手段を更に具備し、
前記テーマ抽出手段は、前記位置検出手段で検出された位置情報と前記時刻検出手段で検出された時刻情報とをグループ化することを特徴とする請求項１に記載の撮影システム。
【請求項３】
前記テーマ抽出手段は、前記次に撮影すべき被写体の候補に関する情報を、直前に撮影された被写体から連想して抽出することを特徴とする請求項２に記載の撮影システム。
【請求項４】
前記告知手段は、前記テーマ抽出手段で抽出された前記テーマに基づいた撮影アドバイスを告知することを特徴とする請求項３に記載の撮影システム。
【請求項５】
前記告知手段は、前記撮影アドバイスを表示する候補表示部を有することを特徴とする請求項４に記載の撮影システム。
【請求項６】
前記告知手段は、前記撮影アドバイスと共に、撮影された画像を表示する表示部を更に有することを特徴とする請求項５に記載の撮影システム。
【請求項７】
前記告知手段は、前記撮影された画像と前記撮影アドバイスを関連付けて表示することを特徴とする請求項６に記載の撮影システム。
【請求項８】
前記位置検出手段で取得された撮影時の位置情報及び前記時刻検出手段で取得された撮影時の時刻情報の少なくとも一方に基づいて特定の情報を外部機器より取得するための通信部を更に具備することを特徴とする請求項２に記載の撮影システム。
【請求項９】
前記位置検出手段で検出される位置情報は、土地の用途情報であることを特徴とする請求項１に記載の撮影システム。
【請求項１０】
前記時刻検出手段で検出される時刻情報は、季節情報を含むことを特徴とする請求項２に記載の撮影システム。
【請求項１１】
被写体を撮影する撮影手段と、
前記撮影手段の位置に関する位置情報を検出する位置検出手段と、
撮影手段の位置情報と撮影を行う時刻とをグループ化し、当該グループ化の結果の情報に基づいて、次に撮影すべき被写体の候補に関する情報を抽出するテーマ抽出手段と、
前記テーマ抽出手段からの出力に基づいて次に撮影すべき被写体の候補に関する情報を操作者に告知する告知手段と、
を具備することを特徴とするカメラ。
【請求項１２】
撮影時の時刻情報を検出する時刻検出手段を更に具備し、
前記テーマ抽出手段は、前記位置検出手段で検出された位置情報と前記時刻検出手段で検出された時刻情報とをグループ化することを特徴とする請求項１１に記載のカメラ。
【請求項１３】
前記テーマ抽出手段は、前記次に撮影すべき被写体の候補に関する情報を、前記撮影手段で直前に撮影された被写体から連想して抽出することを特徴とする請求項１２に記載のカメラ。
【請求項１４】
前記告知手段は、前記テーマ抽出手段で抽出された前記テーマに基づいた撮影アドバイスを告知することを特徴とする請求項１３に記載のカメラ。
【請求項１５】
前記告知手段は、前記撮影アドバイスを表示する候補表示部を有することを特徴とする請求項１４に記載のカメラ。
【請求項１６】
前記告知手段は、前記撮影アドバイスと共に、前記撮影手段で撮影された画像を表示する表示部を更に有することを特徴とする請求項１５に記載のカメラ。
【請求項１７】
前記告知手段は、前記撮影手段で撮影された画像と前記撮影アドバイスを関連付けて表示することを特徴とする請求項１６に記載のカメラ。
【請求項１８】
前記位置検出手段で取得された撮影時の位置情報及び前記時刻検出手段で取得された撮影時の時刻情報の少なくとも一方に基づいて特定の情報を外部機器より取得するための通信部を更に具備することを特徴とする請求項１２に記載のカメラ。
【請求項１９】
前記位置検出手段で検出される位置情報は、土地の用途情報であることを特徴とする請求項１１に記載のカメラ。
【請求項２０】
前記時刻検出手段で検出される時刻情報は、季節情報を含むことを特徴とする請求項１２に記載のカメラ。
【発明の詳細な説明】
【技術分野】
【０００１】
本発明はカメラ及び撮影システムに関し、より詳細には、写真に作品性、物語が生まれるような撮影シーンをアドバイスする撮影システムに関するものである。
【背景技術】
【０００２】
デジタルカメラの普及によって、画像がデジタル化され、転送なども容易となり、スライドショーの活用、電子アルバムによる自動レイアウト等、様々な画像鑑賞の可能性が広がっている。
【０００３】
また、音楽をＢＧＭにしたり、画像に文字を合成したりすることも、手間をかければ誰にでもできるようになっている。前述のスライドショーなどでも、複数の画像を利用して、相互作用でより豊かな情感を伝えることも可能となっている。
【０００４】
こうした流れの中で、変化のある画像鑑賞に慣れた人が増えると、撮影者が無計画にカメラで撮影した画像だけを見せられても、変化がないと、単調に感じたり、味気なく感じたりする場合が増えている。
【０００５】
そこで、状態を判定して撮影アドバイスを行うカメラとして、例えば、下記特許文献１及び特許文献２のような提案がなされている。例えば、下記特許文献１には、撮影した日時を記録し、平均的な撮影間隔を計算して、撮影ブランクが平均的な撮影間隔よりも長くなると、撮影を促すようなメッセージを出す技術が開示されている。また、下記特許文献２には、前回の撮影場所から距離的に離れた場合に、撮影アドバイスを行う技術が開示されている。
【特許文献１】特開２００２−１８３０９９号公報
【特許文献２】特開２００６−７４５４７号公報
【発明の開示】
【発明が解決しようとする課題】
【０００６】
前記特許文献１に記載の技術では、平均的な撮影間隔の長いユーザが、短い間に撮影機会が多いと思われるような、普段と異なる場所へ出掛けたときには、撮影を促すメッセージが通知されないという課題を有している。
【０００７】
また、前記特許文献２に記載の技術は、撮影者が移動するときに、移動途中の記録を残すものであり、撮影画像の種類を豊富にするものではない。
【０００８】
こうした特許文献１及び２の技術では、例えば、キャンプ場の近くで見た花や昆虫までを撮影するようにアドバイスする、ということはできないものであった。
【０００９】
したがって本発明は、前記実情に鑑みてなされたものであり、その目的は、ユーザが行った場所の特徴に従って、名所旧跡のみならず、家族の集合写真や、花鳥風月等、思い出を盛り上げることができ、且つ、撮影すべき写真の種類を決定し、ユーザにアドバイス表示することによって、その場所で楽しんだ風物を記録して、変化にとんだ写真集を作成可能としたカメラ及び撮影システムを提供することである。
【課題を解決するための手段】
【００１０】
すなわち請求項１に記載の発明は、撮影時の位置に関する位置情報を検出する位置検出手段と、前記撮影時の位置情報と撮影を行う時刻とをグループ化し、当該グループ化の結果の情報に基づいて、次に撮影すべき被写体の候補に関する情報を抽出するテーマ抽出手段と、前記テーマ抽出手段からの出力に基づいて次に撮影すべき被写体の候補に関する情報を操作者に告知する告知手段と、を具備することを特徴とする。
【００１１】
請求項２に記載の発明は、請求項１に記載の発明に於いて、前記撮影時の時刻情報を検出する時刻検出手段を更に具備し、前記テーマ抽出手段は、前記位置検出手段で検出された位置情報と前記時刻検出手段で検出された時刻情報とをグループ化することを特徴とする。
【００１２】
請求項３に記載の発明は、請求項２に記載の発明に於いて、前記テーマ抽出手段は、前記次に撮影すべき被写体の候補に関する情報を、直前に撮影された被写体から連想して抽出することを特徴とする。
【００１３】
請求項４に記載の発明は、請求項３に記載の発明に於いて、前記告知手段は、前記テーマ抽出手段で抽出された前記テーマに基づいた撮影アドバイスを告知することを特徴とする。
【００１４】
請求項５に記載の発明は、請求項４に記載の発明に於いて、前記告知手段は、前記撮影アドバイスを表示する候補表示部を有することを特徴とする。
【００１５】
請求項６に記載の発明は、請求項５に記載の発明に於いて、前記告知手段は、前記撮影アドバイスと共に、撮影された画像を表示する表示部を更に有することを特徴とする。
【００１６】
請求項７に記載の発明は、請求項６に記載の発明に於いて、前記告知手段は、前記撮影された画像と前記撮影アドバイスを関連付けて表示することを特徴とする。
【００１７】
請求項８に記載の発明は、請求項２に記載の発明に於いて、前記位置検出手段で取得された撮影時の位置情報及び前記時刻検出手段で取得された撮影時の時刻情報の少なくとも一方に基づいて特定の情報を外部機器より取得するための通信部を更に具備することを特徴とする。
【００１８】
請求項９に記載の発明は、請求項１に記載の発明に於いて、前記位置検出手段で検出される位置情報は、土地の用途情報であることを特徴とする。
【００１９】
請求項１０に記載の発明は、請求項２に記載の発明に於いて、前記時刻検出手段で検出される時刻情報は、季節情報を含むことを特徴とする。
【００２０】
請求項１１に記載の発明は、被写体を撮影する撮影手段と、前記撮影手段の位置に関する位置情報を検出する位置検出手段と、撮影手段の位置情報と撮影を行う時刻とをグループ化し、当該グループ化の結果の情報に基づいて、次に撮影すべき被写体の候補に関する情報を抽出するテーマ抽出手段と、前記テーマ抽出手段からの出力に基づいて次に撮影すべき被写体の候補に関する情報を操作者に告知する告知手段と、を具備することを特徴とする。
【００２１】
請求項１２に記載の発明は、請求項１１に記載の発明に於いて、撮影時の時刻情報を検出する時刻検出手段を更に具備し、前記テーマ抽出手段は、前記位置検出手段で検出された位置情報と前記時刻検出手段で検出された時刻情報とをグループ化することを特徴とする。
【００２２】
請求項１３に記載の発明は、請求項１２に記載の発明に於いて、前記テーマ抽出手段は、前記次に撮影すべき被写体の候補に関する情報を、前記撮影手段で直前に撮影された被写体から連想して抽出することを特徴とする。
【００２３】
請求項１４に記載の発明は、請求項１３に記載の発明に於いて、前記告知手段は、前記テーマ抽出手段で抽出された前記テーマに基づいた撮影アドバイスを告知することを特徴とする。
【００２４】
請求項１５に記載の発明は、請求項１４に記載の発明に於いて、前記告知手段は、前記撮影アドバイスを表示する候補表示部を有することを特徴とする。
【００２５】
請求項１６に記載の発明は、請求項１５に記載の発明に於いて、前記告知手段は、前記撮影アドバイスと共に、前記撮影手段で撮影された画像を表示する表示部を更に有することを特徴とする。
【００２６】
請求項１７に記載の発明は、請求項１６に記載の発明に於いて、前記告知手段は、前記撮影手段で撮影された画像と前記撮影アドバイスを関連付けて表示することを特徴とする。
【００２７】
請求項１８に記載の発明は、請求項１２に記載の発明に於いて、前記位置検出手段で取得された撮影時の位置情報及び前記時刻検出手段で取得された撮影時の時刻情報の少なくとも一方に基づいて特定の情報を外部機器より取得するための通信部を更に具備することを特徴とする。
【００２８】
請求項１９に記載の発明は、請求項１１に記載の発明に於いて、前記位置検出手段で検出される位置情報は、土地の用途情報であることを特徴とする。
【００２９】
請求項２０に記載の発明は、請求項１２に記載の発明に於いて、前記時刻検出手段で検出される時刻情報は、季節情報を含むことを特徴とする。
【発明の効果】
【００３０】
本発明によれば、ユーザが行った場所の特徴に従って、名所旧跡のみならず、家族の集合写真や、花鳥風月等、思い出を盛り上げることができ、且つ、撮影すべき写真の種類を決定し、ユーザにアドバイス表示することによって、その場所で楽しんだ風物を記録して、変化にとんだ写真集を作成可能とした撮影システムを提供することができる。
【発明を実施するための最良の形態】
【００３１】
以下、図面を参照して本発明の実施形態を説明する。
【００３２】
図１は、本発明の一実施形態であって、撮影システムが適用されたデジタルカメラ１０の構成を示すブロック図である。
【００３３】
図１に於いて、このデジタルカメラ１０は、位置検出部１１と、時刻検出部１２と、通信部１３と、データベース（ＤＢ）部１４と、撮影部１６と、特徴検出部１７と、テーマ抽出部１８と、候補表示部２０ａを有する告知部２０と、制御部２２と、を有して構成される。
【００３４】
前記位置検出部１１は、ＧＰＳからの電波を受信し、撮影時のデジタルカメラ１０の位置情報を検出・取得するための位置検出手段である。ここで、位置情報とは、例えば、土地の用途情報等を含んでいる。前記時刻検出部１２は、このデジタルカメラ１０に内蔵される時計機能を有したもので、前記位置検出部１１で取得された位置に於ける時間情報を取得する時刻検出手段である。尚、前記時間情報とは、時間のみならず、例えば、春も夏等の季節情報等を含んでいる。
【００３５】
前記通信部１３は、図示されない外部機器との通信、例えば撮影スポット情報等の特定の情報を取得するためのものである。データベース部１４は、前記通信部１３を介して、図示されない外部装置から取得された撮影スポット情報やイベント情報、及び撮影位置と撮影画像の特徴を格納する記憶手段である。
【００３６】
撮影部１６は、写真撮影時に被写体を撮影して写真画像を得るための撮影手段である。特徴検出部１７は、前記撮影部１６より得られた写真画像を解析して写真の特徴を検出するもので、画像処理機能を有している。この特徴検出には、例えば、色分布や顔検出等が用いられる。テーマ抽出部１８は、データベース部１４に格納された旅行先のイベント等の情報を基に、アドバイスに必要なテーマを抽出するためのテーマ抽出手段である。このテーマ抽出部１８は、詳細を後述するように、主キーワードに関連した（連想される）従キーワードを抽出するようになっている。
【００３７】
告知部２０は候補表示部２０ａを有するもので、撮影部１６で取得された画像(写真)を表示するためのディスプレイ等の表示部２０ｂ（図２参照）を有して構成される告知手段である。前記候補表示部２０ａは、前記撮影された写真の特徴と撮影位置情報の組み合わせより、前記テーマ抽出部１８で抽出されたテーマから、次の撮影シーンに関するアドバイスを表示するものである。また、制御部２２は、ユーザの操作に従った制御を行うもので、このデジタルカメラ１０全体の制御を司るものである。
【００３８】
次に、図２を参照して、撮影スポットの表示方法と撮影スポットの撮影候補について説明する。
【００３９】
図２（ａ）は、デジタルカメラ１０の表示部２０ｂに、未撮影スポットと撮影スポットを地図上に配置した形態で示した図である。
【００４０】
ユーザが撮影を開始する時、デジタルカメラ１０では、位置検出部１１によって現在の位置情報が取得される。現在位置情報の取得が完了すると、図示されない外部サーバに対して、現在位置の周辺の撮影スポット情報の取得要求が行われて、デジタル地図及び撮影スポット情報が取得される。これにより、デジタルカメラ１０に備えられている表示部２０ｂに、図２（ａ）に示されるような地図２４が表示される。
【００４１】
この時、表示される地図２４上には、現在地２５と共に、撮影スポットの位置２７ａ、２７ｂ、…がプロットされる。更に、ユーザが既に撮影活動を終えた撮影スポットに関しては、撮影済みであることを示すマーク２６ａ、２６ｂ、…が地図上へプロットされて表示される。
【００４２】
尚、図２（ａ）には、撮影済みのマーク２６ａ、２６ｂ、…と共に撮影済みのサムネイル画像２８ａ、２８ｂ、…を表示した例が示されているが、これに限られるものではない。例えば、撮影済みのマーク２６ａ、２６ｂ、…を、図示されない操作釦等でクリックした際にサムネイル画像２８ａ、２８ｂ、…が表示されるようにしてもよい。
【００４３】
同様に、撮影スポットの位置２７ａ、２７ｂ、…に対するメッセージ２９は、地図が表示されたときに表示されるものであってもよいし、撮影スポットの位置２７ａ、２７ｂ、…が図示されない操作釦等でクリックした際に表示されるようにしてもよい。
【００４４】
図２（ｂ）は、撮影スポット情報に含まれる撮影候補の階層ツリーの例を示した図である。
【００４５】
撮影候補は、撮影に適したその撮影スポットを示す典型的な被写体を意味している。撮影スポットは、様々な種類がある。例えば、富士山に代表される山であれば風景、動物園であれば生物等がある。
【００４６】
そこで、撮影スポットに於ける撮影候補を、風景、生物、人物というカテゴリに分類する。分類したカテゴリを更に細分化し、風景であれば山、川、生物であれば植物、動物、人物であれば友人、家族、というように分類する。尚、撮影スポットのカテゴリは１通りとは限らないため、例えば、風景及び生物という組み合わせもあり、撮影候補も複数存在している。
【００４７】
撮影スポット情報には、このような分類された撮影候補ツリーが複数含まれている。この撮影候補ツリーは、例えば、前述した現在地に応じて適宜選択される。また、撮影アドバイスをする際は、撮影候補として、これら分類された撮影スポット情報を順にアドバイスとして利用する。
【００４８】
本実施形態では、撮影が開始される前に撮影テーマが決定される。したがって、撮影時には、決定された撮影テーマに沿った撮影アドバイスがなされる。
【００４９】
図３は、撮影テーマの抽出方法及びテーマの例を示したもので、（ａ）はデジタルカメラ１０が位置検出部１１、時刻検出部１２及び通信部１３を介して取得した情報から分類するキーワードを示した図、（ｂ）は情報を季節、時刻、場所に分類したキーワードの組み合わせに対する撮影テーマ例を示した図である。
【００５０】
先ず、図３（ａ）を参照して、抽出された撮影情報の分類について説明する。
【００５１】
デジタルカメラ１０の時刻検出部１２にて取得された情報から、季節及び時刻が決定される。例えば、取得された情報が「２００８．３．１７  ０８：３０：００」であった場合、日付情報より季節がキーワード「春」に分類され、時刻情報より時刻がキーワード「朝」に分類される。
【００５２】
更に、デジタルカメラ１０の位置検出部１１にて取得された情報より、通信部１３を介して図示されない外部サーバ等へ問い合わせが行われて、地図上の場所、例えば観光地や住宅地が特定され、そのキーワードに分類される。
【００５３】
また、位置情報より、地図上の場所が観光地であった場合は、図２（ａ）に示されたように撮影スポット情報が存在するので、デジタルカメラ１０では、通信部１３を介して撮影スポット情報が取得される。分類された季節、時刻、場所情報及び撮影スポット情報から、撮影テーマが絞り込まれる。
【００５４】
次に、図３（ｂ）を参照して、季節、時刻、場所の組合せで登録されているテーマについて説明する。
【００５５】
撮影テーマは、予め、季節＋時刻＋場所の組み合わせに応じてデジタルカメラ１０のデータベース部１４に記録されている。このテーマ群は、ユーザが独自に作成してもよい。或いは、第三者が作成した撮影テーマを、インターネット等を介して取得し、デジタルカメラ１０へ記録しておいてもよい。
【００５６】
撮影テーマは、ユーザが撮影を行う時のテーマであり、テーマ設定後、そのテーマに基づいて撮影アドバイスが行われる。例えば、前述ようにして取得され分類されたキーワードが「春＋朝＋山」の組み合わせであった場合、その組み合わせに合致する登録されている情報は「春の風景を撮ろう」であり、以降、撮影アドバイスは「春の風景」に関連したものが抽出される。
【００５７】
また、撮影テーマとして、その撮影場所が観光地であれば撮影スポット情報が取得可能である。したがって、取得された撮影スポット情報を加味した組み合わせにより、例えば、「秋＋タ＋観光地（新宿御苑）＋撮影スポット情報」であれば、「新宿御苑で紅葉を撮ろう」という、より具体的な撮影テーマが合致することになる。このテーマの場合、以降、撮影アドバイスは「新宿御苑」、「紅葉」に関連したものが抽出される。
【００５８】
尚、撮影スポット情報は、前述したように、通信部１３を介して取得され、データベース部１４に記録される。そして、これらの撮影スポット情報は、例えば、イベント毎に更新されるものとする。
【００５９】
次に、図４を参照して、撮影アドバイスの表示及びアドバイスを抽出するキーワードについて説明する。
【００６０】
図４（ａ）及び（ｂ）は、デジタルカメラ１０の候補表示部２０ａへ撮影アドバイスを表示する様子を示した図である。図示されるように、撮影アドバイスは、表示部２０ｂに表示されるスルー画に重畳する形態で、候補表示部２０ａに表示される。この場合、候補表示部２０ａは表示部２０ｂの一部に配置されている。
【００６１】
図４（ａ）は、位置情報から「山」が、そして季節から「春」、時刻から「昼」が抽出された例であり、場所は「山」が、被写体として「花」が、それぞれアドバイスとして表示されている。
【００６２】
図４（ｂ）は、位置情報より「駅」が、季節から「夏」、時刻から「朝」が抽出された例であり、場所は「駅」が、被写体として「家族」がアドバイスとして表示されている。
【００６３】
図４（ｃ）及び（ｄ）は、アドバイスの抽出方法について示したものである。
【００６４】
撮影アドバイスは、図４（ａ）、（ｂ）に示されるように、「どこ」で「何」を撮影するのか、というシンプルなフレーズが抽出されて表示される。
【００６５】
この場合、図４（ｃ）に示されるように、キーワード１には場所や季節など撮影条件に関するキーワード、キーワード２には名所、地形、建造物、乗り物、食べ物、生き物、人物、イベントなど、被写体に関するキーワードが当てはまる。その結果、図４（ｄ）に示されるように、キーワード１に対応して、キーワード２が選択可能となる。
【００６６】
尚、撮影アドバイスのフレーズは「○○で××を撮ろう」というフレーズにとらわれず、別のフレーズであってもよいのは勿論である。
【００６７】
次に、図５を参照して、撮影アドバイスに用いられるキーワードと各キーワードに関連したキーワードの主従関係について説明する。
【００６８】
図５（ａ）は、撮影アドバイスとして使用するキーワードとそれに関連するキーワードの主従関係の例を示した図である。
【００６９】
前述した図３（ｂ）の説明で示したような撮影テーマが「春の風景を撮ろう」であれば、「春の風景」に関連したキーワードが撮影アドバイス時に使用される。これは、例えば、入学式、花見、桜などである。
【００７０】
次に、入学式が主キーワードである場合、桜、子供などが従属するキーワードとなる。同様に、家族が主キーワードであれば、従属するキーワードは子供、祖父、祖母、父、母などである。
【００７１】
図５（ｂ）は、主キーワードが複数のキーワードの組み合わせである場合の主従関係の例を示した図である。
【００７２】
主キーワードとして「桜＋子供」である場合、「木に登る」が従属キーワードになる。或いは、主キーワードが「入学式＋子供」であれば、「ランドセル姿」が従属キーワードになる。
【００７３】
図５（ｃ）は、時刻毎に設定されているキーワードの例を示した図である。
【００７４】
デジタルカメラ１０の時刻検出部１２で取得された時刻情報を基にして、図５（ｃ）に示されるように分類が行われて、キーワードと関連付けがなされる。例えば、取得された時刻情報が「０７：３０」であれば、「朝食」がキーワードとして抽出されるようになる。
【００７５】
この図５（ｃ）では、時刻情報をキーワードと関連付けているが、例えば前回撮影時刻からの時間を計測し、その時間変化に見合ったキーワードを関連付けたデータベースを作成してもよい。例えば、前回撮影時刻から１時間程度経過し、且つ、時刻情報より「昼食」に当てはまる場合、「お腹が空いた」というキーワードを抽出することができるようなデータベースにしておく、等である。
【００７６】
これにより、例えば、前回撮影した時刻から撮影期間が開いた時、ユーザが次に撮影を予定している被写体と、前回に撮影した被写体の間に、後でスライドショーとして再生した時に時間的空間を埋める写真を撮影することをアドバイスする、ということが可能になる。
【００７７】
図５（ｄ）は、移動距離毎に設定されているキーワードの例を示した図である。
【００７８】
前回撮影位置情報から現在の位置情報の差分を移動距離と考え、その移動距離に対して、何の移動手段で移動したかを連想するような、何らかのキーワードを設定しておく。
【００７９】
例えば、移動距離として「１Ｋｍ以内」であれば「徒歩」、「自転車」がキーワードにされる。これにより、前回撮影した場所から徒歩、または自転車で移動した、ということをユーザが連想して、撮影のインスピレーションを掻き立てることに貢献する。
【００８０】
図５（ａ）〜（ｄ）に示されたこれらのキーワードは、次に撮影すべき被写体の候補に関する情報として、予めデジタルカメラ１０内のデータベース部１４に記録されている。
【００８１】
尚、これらキーワード及びその主従関係は、ユーザが編集してもよい。或いは、第三者が編集したものを、インターネット等を介して取得し、使用するようにしてもよい。
【００８２】
図６は、撮影アドバイスに従って撮影を進めていくうちに、撮影アドバイスがより正確、且つ具体的になる流れを説明するための図である。
【００８３】
撮影が開始されると、先ず、撮影テーマが選択される。この撮影テーマは、例えば、「春の風景を撮ろう」（Ｍ１０１）、「町並みを撮ろう」（Ｍ１０２）、「祭りを撮ろう」（Ｍ１０３）、…がある。この場合、「春の風景を撮影しよう」（Ｍ１０１）が選択されたとする。
【００８４】
ここで、「春の風景」が選択されたことで、「春の風景」という目的（キーワード）が特定でき、それに関連するキーワードより撮影アドバイス「公園で花見を撮ろう」（Ｍ１１１）と、「学校で入学式を撮ろう」（Ｍ１１２）が抽出される。
【００８５】
ここで、ユーザにより、図４（ｃ）、（ｄ）に示されるように、表示される撮影アドバイスがキー入力などで取捨選択される。この場合、「公園で花見を撮ろう」（Ｍ１１１）が選択されたとする。この撮影アドバイスが選択されたことで、イべント（キーワード）が特定可能となる。
【００８６】
次いで、「公園」で「花見」というキーワードに関連したキーワードとして、「桜」が抽出される。その結果、撮影アドバイスとして、「公園で桜を撮ろう」（Ｍ１２１）が候補表示部２０ａに表示される。この撮影アドバイスがユーザに受け入れられることにより、被写体として「桜」が特定可能となる。
【００８７】
これまでの撮影アドバイスより、人物を入れた被写体を勧めるため、「家族」と「友人」というキーワードが用いられて「桜の下で家族を撮ろう」（Ｍ１３１）及び「桜の下で友人を撮ろう」（Ｍ１３２）が、撮影アドバイスとして抽出され、候補表示部２０ａに表示される。
【００８８】
ここで、ユーザにより「桜の下で家族を撮ろう」（Ｍ１３１）が受け入れられることにより、グループが特定可能となる。この場合、ユーザは「家族」と一緒にいることが特定可能となる。「家族」が特定されたことで、「子供」や「祖母」というキーワードが抽出される。すると、「桜の下で子供を撮ろう」（Ｍ１４１）や「桜の下で祖母を撮ろう」（Ｍ１４２）という撮影アドバイスが候補表示部２０ａに表示される。
【００８９】
ここで、ユーザによって「桜の下で子供を撮ろう」（Ｍ１４１）が受け入れられることで、ユーザが撮影しようとしている人物、一緒にいる人物が特定可能となり、撮影アドバイスはより具体的になってくる。
【００９０】
そして、今までに出てきた「公園」、「桜」、「子供」、というキーワードから「桜の木に登る子供を撮ろう」（Ｍ１５１）という、より具体的な撮影アドバイスが抽出され、候補表示部２０ａに表示される。
【００９１】
また、撮影中、時刻変化により、「昼食」に適した時刻になったタイミングで、前述の特定した人物情報より、撮影アドバイスとして「子供との昼食を撮ろう」（Ｍ１６１）が抽出されて、表示される。更に、前回撮影場所からの変化が検知され、駅の付近に近付いた場合、撮影アドバイスとして「駅で電車を撮ろう」（Ｍ１７１）が抽出されて、表示される。
【００９２】
以上のようにして、撮影テーマから関連するキーワードより撮影アドバイスを生成し、ユーザに撮影を促し、ユーザがそれを受け入れることで、より具体的なユーザの撮影状況を得ることができ、具体的な撮影アドバイスを行うことができる。
【００９３】
これにより、撮影後、スライドショー再生などを行った際、写真の前後の脈略が明確になり、ストーリー性を持ったスライドショーを生成、再生することが可能になる。
【００９４】
尚、前述した撮影アドバイスが表示されている時に、キーワードに該当しない被写体を撮影したような場合は、その時点で新たなグループについての撮影アドバイスが作成され、候補表示部２０ａに表示されるようになる。例えば、撮影アドバイス「桜の下で子供を撮ろう」（Ｍ１４１）が表示されている時に鳥を撮影したような場合、続く撮影アドバイスは、「桜の木に登る子供を撮ろう」（Ｍ１５１）ではなく、「鳥」というキーワードから例えば「飛び立つ鳥を撮ろう」といった撮影アドバイスが候補表示部２０ａに表示されるようになる。
【００９５】
或いは、同様に、撮影アドバイスが表示されている時にキーワードに該当しない被写体を撮影するような場合には、告知部としてデジタルカメラ１０内にバイブレータ等を設け、その振動によってユーザに注意を促すようにしてもよい。
【００９６】
また、前述した撮影アドバイスは、ユーザの使用頻度に応じて候補表示部２０ａに表示される順位が変更されるようにしてもよい。
【００９７】
次に、図７のフローチャートを参照して、本実施形態のデジタルカメラの動作について説明する。
【００９８】
尚、この制御動作は、主に制御部２２によって行われる。
【００９９】
先ず、ステップＳ１にて、デジタルカメラ起動時に撮影条件が取得される。ここで、取得される撮影条件は、時刻情報及び位置情報である。次いで、ステップＳ２に於いて、撮影テーマを抽出するか否かが判定される。ここで、撮影テーマが抽出されていない場合は、ステップＳ３に移行して撮影テーマが抽出された後、ステップＳ４へ移行する。前記ステップＳ３のテーマ抽出の詳細については後述する。一方、前記ステップＳ２にて撮影テーマが抽出されている場合は、ステップＳ３がスキップされてステップＳ４に移行する。
【０１００】
ここで、図８のフローチャートを参照して、前記ステップＳ３のサブルーチン「テーマ抽出」の詳細な動作について説明する。
【０１０１】
本サブルーチンに入ると、先ず、ステップＳ２１にて日時情報が取得される。次いで、ステップＳ２２に於いて、前記ステップＳ２１で取得された日時情報より季節が判定される。ここで、取得された情報が季節判定できる情報であれば、ステップＳ２３に移行して季節が特定される。一方、前記ステップＳ２２にて、季節判定できないような情報であれば、季節が特定されずに、ステップＳ２３がスキップされる。
【０１０２】
次に、ステップＳ２４にて、時刻情報が取得される。そして、ステップＳ２５に於いて、前記ステップＳ２４で取得された時刻が判定される。ここで、取得された時刻が判定可能な情報であれば、ステップＳ２６に移行して時刻が特定される。ここで特定された時刻とは、例えば、図３（ａ）に示されるような、「朝」や「昼」のことである。その後、ステップＳ２７にて位置情報が取得される。一方、取得された時刻情報が時刻を特定できないような情報であれば、ステップＳ２６がスキップされて、時刻が特定されずにステップＳ２７にて位置情報が取得される。
【０１０３】
次いで、ステップＳ２８に於いて、前記ステップＳ２７で取得された位置情報より場所の判定が行われる。ここで、取得された場所が判定可能な情報であれば、ステップＳ２９に移行して場所が特定される。その後、ステップＳ３０に移行する。また、前記ステップＳ２８にて位置情報が判定できないような情報であれば、場所を特定せずにステップＳ３０に移行する。
【０１０４】
ステップＳ３０では、撮影スポット情報が検索される。そして、続くステップＳ３１に於いて、撮影スポット情報が取得可能か否かの判定が行われる。ここで、取得可能であれば、ステップＳ３２に移行して撮影スポット情報の取得が行われる。一方、撮影スポット情報が取得されない場合は、ステップＳ３２がスキップされる。
【０１０５】
次に、ステップＳ３３に於いて、前述した各ステップで特定された季節、時刻、場所情報より、そのキーワードの組み合わせで適切な撮影テーマが抽出される。そして、ステップＳ３４にて、抽出された撮影テーマが、デジタルカメラ１０の表示部２０ｂへ表示されて、テーマの選択が促される。
【０１０６】
その結果、ステップＳ３５にて、ユーザによって抽出された撮影テーマから自身の撮影に適したものが選択される。これにより、続くステップＳ３６にて、撮影テーマが決定される。その後、図７のフローチャートのステップＳ４に移行する。
【０１０７】
図７のフローチャートのステップＳ４に於いては、撮影モードの判定が行われる。ここで、撮影モードである、すなわち、撮影が行われる場合は、ステップＳ５に移行して、撮影及びアドバイスの抽出が行われる。
【０１０８】
ここで、図９のフローチャートを参照して、図７のフローチャートのステップＳ５に於けるサブルーチン「撮影及びアドバイス」の詳細な動作について説明する。
【０１０９】
本サブルーチンに入ると、先ず、ステップＳ４１に於いて、時刻が判定される。時刻情報が判定可能な情報であれば、ステップＳ４２に移行して、それに基づくキーワードが抽出される。ここで抽出されるキーワードとは、「朝」や「昼」である。一方、前記ステップＳ４１にて時刻情報が判定可能でない場合は、ステップＳ４２がスキップされる。
【０１１０】
次に、ステップＳ４３に於いて、位置情報が判定される。ここで、位置情報が判定可能な情報であれば、ステップＳ４４に移行して、それに基づくキーワードが抽出される。一方、前記ステップＳ４３にて位置情報が判定可能でない場合は、ステップＳ４４がスキップされる。
【０１１１】
ステップＳ４５に於いて、撮影済みデータがあるか否かの判定が行われる。ここで、撮影済みデータとは、撮影された画像及び画像に付与された撮影アドバイスに基づくキーワード群である。前記ステップＳ４５にて撮影済みデータがあると判定された場合は、ステップＳ４６に移行して、これらキーワード群が抽出される。また、前記ステップＳ４５にて撮影済みデータが無いと判定された場合は、ステップＳ４６がスキップされる。
【０１１２】
次に、ステップＳ４７に於いて、前述した時刻、位置、撮影済みデータから抽出されたキーワードより撮影アドバイスが抽出されたか否かが判定される。ここで、抽出された撮影アドバイスは、ステップＳ４８にてデジタルカメラ１０の候補表示部２０ａへその候補が表示される。一方、前記ステップＳ４７にて撮影アドバイスが抽出されない場合は、ステップＳ４８がスキップされる。
【０１１３】
ここで、デジタルカメラ１０の図示されないシャッタ釦が押されるまでに時間経過があるとする。デジタルカメラ１０では、時刻や位置の変化が監視されているので、この場合の状態の変化があるか否かがステップＳ４９に於いて判定される。その結果、状態の変化がある場合は、前記ステップＳ４１に移行して、再度、前述した時刻、位置、撮影済み情報よりキーワードの抽出が行われる。
【０１１４】
一方、前記ステップＳ４９にて状態変化がないと判定された場合は、ステップＳ５０に移行して、写真撮影がなされたか否かが判定される。この写真撮影に於いては、デジタルカメラ１０の図示されないシャッタ釦が押されることで、ユーザが候補表示部２０ａに表示された撮影アドバイスが受け入れられたと判定される。これにより、続くステップＳ５１にて撮影処理がなされる。
【０１１５】
前記ステップＳ５１にて撮影された写真画像は、ステップＳ５２にて、デジタルカメラ１０内の特徴検出部１７により特徴が抽出される。次いで、ステップＳ５３にて、前述したようにして抽出された特徴情報、抽出されたキーワード、撮影アドバイスが、撮影された画像に情報として付与される。
【０１１６】
そして、ステップＳ５４に於いて、撮影アドバイスによる撮影が続けられるか否かが判定される。その結果、撮影が続けられる場合は、前記ステップＳ４１に移行して、キーワードの抽出から、前述した処理動作が再度行われる。一方、撮影が行われない場合は、本サブルーチンを抜け、図７のフローチャートに移行した後、デジタルカメラの動作が終了する。
【０１１７】
図７のフローチャートのステップＳ４に於いて、撮影モードでないと判定された場合は、ステップＳ６に移行して、撮影された画像のスライドショー再生等を行う再生モードが実行されるか否かが判定される。ここで、再生モードが実行される場合は、ステップＳ７に移行して、それまでに撮影された画像が選択される。一方、前記ステップＳ６に於いて、再生モードをやめる場合は、前記ステップＳ２へ移行して、再度テーマ抽出判定がなされる。
【０１１８】
ステップＳ７にて画像が選択されると、続くステップＳ８に於いて、前記ステップＳ７で選択された画像でよいかどうかが判定される。ここで、選択画像が無い場合は前記ステップＳ６に移行し、有る場合は、ステップＳ９に移行して、その画像に撮影アドバイス情報が付与されているか否かの判定が行われる。
【０１１９】
ここで、撮影アドバイスが付与されている場合は、ステップＳ１０に移行して、画像の再生及び付与された撮影アドバイスに基づくキーワードまたは撮影アドバイスがコメントとして、表示部２０ｂの画像に重畳されて、候補表示部２０ａで再生が行われる。一方、撮影アドバイスが付与されていない画像であれば、ステップＳ１１に移行して画像の再生のみが行われる。
【０１２０】
このようにして、本実施形態のデジタルカメラによれば、思い出を盛り上げる写真撮影を促し、変化にとんだ写真集を作成することが可能になる。
【０１２１】
尚、前述した実施形態に於いては、撮影アドバイスの告知は候補表示部２０ａにより表示されるとして説明しているが、これに限られるものではない。例えば、デジタルカメラ１０の告知部２０としてスピーカを設け、音声により撮影アドバイスを行うようにしてもよい。
【０１２２】
以上、本発明の実施形態について説明したが、本発明は前述した実施形態以外にも、本発明の要旨を逸脱しない範囲で種々の変形実施が可能である。
【０１２３】
更に、前述した実施形態には種々の段階の発明が含まれており、開示される複数の構成要件の適当な組合せにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【０１２４】
【図１】本発明の一実施形態であって、撮影システムが適用されたデジタルカメラ１０の構成を示すブロック図である。
【図２】撮影スポットの表示方法と撮影スポットの撮影候補について説明するもので、（ａ）はデジタルカメラ１０の表示部２０ｂに未撮影スポットと撮影スポットを地図上に配置した形態で示した図、（ｂ）は撮影スポット情報に含まれる撮影候補の階層ツリーの例を示した図である。
【図３】撮影テーマの抽出方法及びテーマの例を示したもので、（ａ）はデジタルカメラ１０が位置検出部１１、時刻検出部１２及び通信部１３を介して取得した情報から分類するキーワードを示した図、（ｂ）は情報を季節、時刻、場所に分類したキーワードの組み合わせに対する撮影テーマ例を示した図である。
【図４】撮影アドバイスの表示及びアドバイスを抽出するキーワードについて説明するもので、（ａ）及び（ｂ）はデジタルカメラ１０の候補表示部２０ａへ撮影アドバイスを表示する様子を示した図、（ｃ）及び（ｄ）はアドバイスの抽出方法について示した図である。
【図５】撮影アドバイスに用いられるキーワードと各キーワードに関連したキーワードの主従関係について説明するもので、（ａ）は撮影アドバイスとして使用するキーワードとそれに関連するキーワードの主従関係の例を示した図、（ｂ）は主キーワードが複数のキーワードの組み合わせである場合の主従関係の例を示した図、（ｃ）は時刻毎に設定されているキーワードの例を示した図、（ｄ）は移動距離毎に設定されているキーワードの例を示した図である。
【図６】撮影アドバイスに従って撮影を進めていくうちに、撮影アドバイスがより正確、且つ具体的になる流れを説明するための図である。
【図７】本発明の一実施形態のデジタルカメラの動作について説明するためのフローチャートである。
【図８】図７のフローチャートに於けるステップＳ３のサブルーチン「テーマ抽出」の詳細な動作について説明するためのフローチャートである。
【図９】図７のフローチャートのステップＳ５に於けるサブルーチン「撮影及びアドバイス」の詳細な動作について説明するためのフローチャートである。
【符号の説明】
【０１２５】
１０…デジタルカメラ、１１…位置検出部、１２…時刻検出部、１３…通信部、１４…データベース（ＤＢ）部、１６…撮影部、１７…特徴検出部、１８…テーマ抽出部、２０…告知部、２０ａ…候補表示部、２０ｂ…表示部、２４…地図、２５…現在地、２６ａ、２６ｂ、……撮影済みのマーク、２７ａ、２７ｂ、……撮影スポットの位置、２８ａ、２８ｂ、……サムネイル画像、２９…メッセージ。
【図１】
2010045436.tif 000003
【図２】
2010045436.tif 000004
【図３】
2010045436.tif 000005
【図４】
2010045436.tif 000006
【図５】
2010045436.tif 000007
【図６】
2010045436.tif 000008
【図７】
2010045436.tif 000009
【図８】
2010045436.tif 000010
【図９】
2010045436.tif 000011